(57)【要約】【課題】本発明は使用者に最適な似合う色の口紅の選択を行う口紅の選定方法及び唇色スケール及び口紅選定チャートに関し、唇に塗布した後の口紅の色を使用者に似合った色とすることを課題とする。【解決手段】使用者の唇の色である唇色を測定し、この唇色が明度，彩度，色相に基づき分類された唇色カテゴリーのいずれに属するかを判定する唇色カテゴリー判定ステップ（ステップ１）と、使用者の肌の色である肌色を測定し、この肌色を予め分類されている肌色カテゴリーのいずれに属するかを判定する肌色カテゴリー判定ステップ（ステップ２）と、唇色カテゴリーと肌色カテゴリーとの組合せと、この組合せに似合う色の口紅との対応付けを行った口紅選定チャートに基づき、前記唇色カテゴリー判定ステップで判定された前記唇色カテゴリー及び前記肌色カテゴリー判定ステップで判定された前記肌色カテゴリーに対応した色の口紅を選定する口紅選定ステップ（ステップ３）とを有する。【選択図】図１
2008062042.tif 000002
【特許請求の範囲】
【請求項１】
使用者の唇の色である唇色を測定し、該唇色が明度，彩度，色相に基づき分類された唇色カテゴリーのいずれに属するかを判定する唇色カテゴリー判定ステップと、
唇色カテゴリーとこれに似合う色の口紅との対応付けを行った口紅選定チャートに基づき、前記唇色カテゴリー判定ステップで判定された前記唇色カテゴリーに対応した色の口紅を選定する口紅選定ステップと
を有することを特徴とする口紅の選定方法。
【請求項２】
前記唇色カテゴリーは、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とする請求項１記載の口紅の選定方法。
【請求項３】
前記口紅選定チャートは、
前記唇色カテゴリー毎に唇の輪郭ありの項目と、輪郭なしの項目で分類されていることを特徴とする請求項１又は２記載の口紅の選定方法。
【請求項４】
前記唇色カテゴリー判定ステップにおける前記唇色カテゴリーの判定は、
複数の唇色を表示した唇色見本部と、該複数の唇色と前記唇色カテゴリーとの関係を示す唇色カテゴリー表示部とが表示されたスケールを用いて行うことを特徴とする請求項１乃至３のいずれか１項に記載の口紅の選定方法。
【請求項５】
使用者の唇の色である唇色を測定し、該唇色が明度，彩度，色相に基づき分類された唇色カテゴリーのいずれに属するかを判定する唇色カテゴリー判定ステップと、
使用者の肌の色である肌色を測定し、該肌色を予め分類されている肌色カテゴリーのいずれに属するかを判定する肌色カテゴリー判定ステップと、
唇色カテゴリーと肌色カテゴリーとの組合せと、この組合せに似合う色の口紅との対応付けを行った口紅選定チャートに基づき、前記唇色カテゴリー判定ステップで判定された前記唇色カテゴリー及び前記肌色カテゴリー判定ステップで判定された前記肌色カテゴリーに対応した色の口紅を選定する口紅選定ステップと
を有することを特徴とする口紅の選定方法。
【請求項６】
前記唇色カテゴリーは、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とする請求項５記載の口紅の選定方法。
【請求項７】
前記口紅選定チャートは、
前記唇色カテゴリー毎に唇の輪郭ありの項目と、輪郭なしの項目で分類されていることを特徴とする請求項５又は６記載の口紅の選定方法。
【請求項８】
前記唇色カテゴリー判定ステップにおける前記唇色カテゴリーの判定は、
複数の唇色を表示した唇色見本部と、該複数の唇色と前記唇色カテゴリーとの関係を示す唇色カテゴリー表示部とが表示されたスケールを用いて行うことを特徴とする請求項５乃至７のいずれか１項に記載の口紅の選定方法。
【請求項９】
前記肌色カテゴリーは、
赤みよりの明るい肌色である第１の肌色カテゴリーと、
黄みよりの明るい肌色である第２の肌色カテゴリーと、
黄みで標準的な明るさである第３の肌色カテゴリーと、
健康的な濃い肌色である第４の肌色カテゴリーと、
に分類されていることを特徴とする請求項５乃至８のいずれか１項に記載の口紅の選定方法。
【請求項１０】
複数の唇色を表示した唇色見本部と、
唇色を明度，彩度，色相に基づき分類した複数の唇色カテゴリーを表示した唇色カテゴリー表示部とが表示されており、
該唇色見本部と該唇色カテゴリー表示部とが対応付けられていることを特徴とする唇色スケール。
【請求項１１】
前記唇色見本部及び唇色カテゴリー表示部とが形成された本体部を半透明としたことを特徴とする請求項１０記載の唇色スケール。
【請求項１２】
前記唇色見本部及び唇色カテゴリー表示部とが形成された本体部の縁部に、唇の形状に対応させた湾曲部を形成したことを特徴とする請求項１０又は１１に記載の唇色スケール。
【請求項１３】
前記唇色カテゴリーは、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とする請求項１０乃至１２のいずれか一項に記載の唇色スケール。
【請求項１４】
前記第１の唇色カテゴリーを表示した普通用唇色カテゴリー表示部は、マンセル色票の表示で少なくとも２．５Ｒ５／４、２．５Ｒ５／８、７．５Ｒ４／６、１０ＲＰ５／６を含み、
前記第２の唇色カテゴリーを表示した淡い用唇色カテゴリー表示部は、マンセル色票の表示で少なくとも２．５Ｒ６／４、２．５Ｒ６／６、５Ｒ５／４、７．５Ｒ６／６を含み、
前記第３の唇色カテゴリーを表示した赤い用唇色カテゴリー表示部は、マンセル色票の表示で少なくとも２．５Ｒ４／８、２．５Ｒ５／１０、５Ｒ３／８を含み、
前記第４の唇色カテゴリーを表示した濃い用唇色カテゴリー表示部は、マンセル色票の表示で少なくとも２．５Ｒ３／６、２．５Ｒ４／４、５Ｒ３／６を含むことを特徴とする請求項１３記載の唇色スケール。
【請求項１５】
唇色を明度，彩度，色相に基づき分類された複数の唇色カテゴリーをそれぞれ表示した唇色カテゴリー表示エリアと、
該唇色カテゴリー表示エリアに対応して設けられており、当該唇色カテゴリーに似合う色の口紅の種類が表示された口紅表示エリアとを有することを特徴とする口紅選定チャート。
【請求項１６】
前記唇色カテゴリー表示エリア及び前記口紅表示エリアが、肌色が分類されている肌色カテゴリーに対応付けされていることを特徴とする請求項１５記載の口紅選定チャート。
【発明の詳細な説明】
【技術分野】
【０００１】
本発明は口紅の選定方法及び唇色スケール及び口紅選定チャートに係り、特に使用者に最適な似合う色の口紅の選択を行う口紅の選定方法及び唇色スケール及び口紅選定チャートに関する。
【背景技術】
【０００２】
近年、個性の尊重と共に、流行に合わせるのではなく自分にとって良いものを選ぶという意識が強まる傾向にある。よって、化粧品の選定を行うに際しても、自分に似合う色或いは化粧方法を知りたいとの欲求、要望が強くなって来ている。特に、化粧品の中でも口紅は、顔の中でも唇という特定箇所に肌色と大きく色相が異なる口紅を塗布するため、その欲求、要望は強いものとなる。
【０００３】
このような自分（口紅の使用者）に似合った口紅の色を選定する欲求や要望に答えるために、デパートやカルチャースクール等において色選びのためのセミナーや講習が行われている。従来、使用者に似合った口紅の選定を行う口紅の選定方法としては、顔の肌色やヘアカラーを指標として、その使用者に似合う口紅の色を選択する方法が一般的であった（特許文献１参照）。
【特許文献１】特開２００３−０２４１３６号公報
【発明の開示】
【発明が解決しようとする課題】
【０００４】
上記のように、顔の肌色やヘアカラーを指標としてその使用者に似合う口紅の色を選択することにより、使用者が任意に口紅の色選定を行う場合に比べ、より似合った口紅の選定を行うことが可能となる。
【０００５】
ところが、このような従来の口紅の選定方法では、次のような問題点が生じた。即ち、従来の口紅の選定方法では、似た肌色を有する複数の人に対し同色の口紅を使用したときは同じ仕上がりになることが前提となっている。しかしながら、実際に似た肌色を有する複数の人に対して同色の口紅を使用したところ、同一の仕上がりとはならず仕上がりの色が異なる現象が発生した。
【０００６】
このため、従来の口紅の選定方法では、似合うとして選定された色の口紅を使用しても、実際に使用すると似合わない色の仕上がりとなることがあり、使用者の欲求、要望に充分に答えることができないという問題点が生じた。
【０００７】
本発明は上記の点に鑑みてなされたものであり、唇に塗布した後の口紅の色を使用者に似合った色とすることができる口紅の選定方法及び唇色スケール及び口紅選定チャートを提供することを目的とする。
を目的とする。
【課題を解決するための手段】
【０００８】
上記の課題を解決するために本発明では、次に述べる各手段を講じたことを特徴とするものである。
【０００９】
請求項１記載の発明に係る口紅の選定方法は、
使用者の唇の色である唇色を測定し、該唇色が明度，彩度，色相に基づき分類された唇色カテゴリーのいずれに属するかを判定する唇色カテゴリー判定ステップと、
唇色カテゴリーとこれに似合う色の口紅との対応付けを行った口紅選定チャートに基づき、前記唇色カテゴリー判定ステップで判定された前記唇色カテゴリーに対応した色の口紅を選定する口紅選定ステップとを有することを特徴とするものである。
【００１０】
また、請求項２記載の発明は、
請求項１記載の口紅の選定方法において、
前記唇色カテゴリーは、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とするものである。
【００１１】
また、請求項４記載の発明は、
請求項１乃至３のいずれか１項に記載の口紅の選定方法において、
前記唇色カテゴリー判定ステップにおける前記唇色カテゴリーの判定は、
複数の唇色を表示した唇色見本部と、該複数の唇色と前記唇色カテゴリーとの関係を示す唇色カテゴリー表示部とが表示されたスケールを用いて行うことを特徴とするものである。
【００１２】
また、請求項５記載の発明に係る口紅の選定方法は、
使用者の唇の色である唇色を測定し、該唇色が明度，彩度，色相に基づき分類された唇色カテゴリーのいずれに属するかを判定する唇色カテゴリー判定ステップと、
使用者の肌の色である肌色を測定し、該肌色を予め分類されている肌色カテゴリーのいずれに属するかを判定する肌色カテゴリー判定ステップと、
唇色カテゴリーと肌色カテゴリーとの組合せと、この組合せに似合う色の口紅との対応付けを行った口紅選定チャートに基づき、前記唇色カテゴリー判定ステップで判定された前記唇色カテゴリー及び前記肌色カテゴリー判定ステップで判定された前記肌色カテゴリーに対応した色の口紅を選定する口紅選定ステップとを有することを特徴とするものである。
【００１３】
また、請求項６記載の発明は、
請求項５記載の口紅の選定方法において、
前記唇色カテゴリーは、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とするものである。
【００１４】
また、請求項７記載の発明は、
請求項５又は６記載の口紅の選定方法において、
前記口紅選定チャートは、
前記唇色カテゴリー毎に唇の輪郭ありの項目と、輪郭なしの項目で分類されていることを特徴とするものである。
【００１５】
また、請求項８記載の発明は、
請求項５乃至７のいずれか１項に記載の口紅の選定方法において、
前記唇色カテゴリー判定ステップにおける前記唇色カテゴリーの判定は、
複数の唇色を表示した唇色見本部と、該複数の唇色と前記唇色カテゴリーとの関係を示す唇色カテゴリー表示部とが表示されたスケールを用いて行うことを特徴とするものである。
【００１６】
また、請求項９記載の発明は、
請求項５乃至８のいずれか１項に記載の口紅の選定方法において、
前記肌色カテゴリーは、
赤みよりの明るい肌色である第１の肌色カテゴリーと、
黄みよりの明るい肌色である第２の肌色カテゴリーと、
黄みで標準的な明るさである第３の肌色カテゴリーと、
健康的な濃い肌色である第４の肌色カテゴリーとに分類されていることを特徴とするものである。
【００１７】
また、請求項１０記載の発明に係る唇色スケールは、
複数の唇色を表示した唇色見本部と、
唇色を明度，彩度，色相に基づき分類した複数の唇色カテゴリーを表示した唇色カテゴリー表示部とが表示されており、
該唇色見本部と該唇色カテゴリー表示部とが対応付けられていることを特徴とするものである。
【００１８】
また、請求項１１記載の発明は、
請求項１０記載の唇色スケールにおいて、
前記唇色見本部及び唇色カテゴリー表示部とが形成された本体部を半透明としたことを特徴とするものである。
【００１９】
また、請求項１２記載の発明は、
請求項１０又は１１に記載の唇色スケールにおいて、
前記唇色見本部及び唇色カテゴリー表示部とが形成された本体部の縁部に、唇の形状に対応させた湾曲部を形成したことを特徴とするものである。
【００２０】
また、請求項１３記載の発明は、
前記唇色カテゴリーは、
請求項１０乃至１２のいずれか一項に記載の唇色スケールにおいて、
明度及び彩度が平均的である普通の唇色である第１の唇色カテゴリーと、
明度が第１の唇色カテゴリーに対して高い淡い唇色である第２の唇色カテゴリーと、
彩度が第１の唇色カテゴリーに対して高い赤い唇色である第３の唇色カテゴリーと、
明度が第１の唇色カテゴリーに対して低い濃い唇色である第４の唇色カテゴリーと、
に分類されていることを特徴とするものである。
【００２１】
また、請求項１４記載の発明は、
請求項１３記載の唇色スケールにおいて、
前記第１の唇色カテゴリーを表示した普通用唇色カテゴリー表示部は、マンセル色票の表示で少なくとも２．５Ｒ５／４、２．５Ｒ５／８、７．５Ｒ４／６、１０ＲＰ５／６を含み、
前記第２の唇色カテゴリーを表示した淡い用唇色カテゴリー表示部は、マンセル色票の表示で少なくとも２．５Ｒ６／４、２．５Ｒ６／６、５Ｒ５／４、７．５Ｒ６／６を含み、
前記第３の唇色カテゴリーを表示した赤い用唇色カテゴリー表示部は、マンセル色票の表示で少なくとも２．５Ｒ４／８、２．５Ｒ５／１０、５Ｒ３／８を含み、
前記第４の唇色カテゴリーを表示した濃い用唇色カテゴリー表示部は、マンセル色票の表示で少なくとも２．５Ｒ３／６、２．５Ｒ４／４、５Ｒ３／６を含むことを特徴とするものである。
【００２２】
また、請求項１５記載の発明に係る口紅選定チャートは、
唇色を明度，彩度，色相に基づき分類された複数の唇色カテゴリーをそれぞれ表示した唇色カテゴリー表示エリアと、
該唇色カテゴリー表示エリアに対応して設けられており、当該唇色カテゴリーに似合う色の口紅の種類が表示された口紅表示エリアとを有することを特徴とするものである。
【００２３】
また、請求項１６記載の発明は、
請求項１５記載の口紅選定チャートにおいて、
前記唇色カテゴリー表示エリア及び前記口紅表示エリアが、肌色が分類されている肌色カテゴリーに対応付けされていることを特徴とするものである。
【発明の効果】
【００２４】
本発明によれば、判定された使用者の唇色の唇色カテゴリーに基づき、口紅選定チャートにより使用者の唇色カテゴリーに似合う色の口紅を選定するため、使用者の唇色に基づいた使用者に似合う色の口紅を選定することが可能となる。
【発明を実施するための最良の形態】
【００２５】
次に、本発明を実施するための最良の形態について図面と共に説明する。
【００２６】
図１は、本発明の一実施例である口紅の選定方法を示すフローチャートである。本実施例に係る口紅の選定方法は、概略的に述べると自分に似合った口紅を選定しようとする者（以下、使用者ということもある）に対し、先ず使用者の唇の色（唇色という）を測定し、この測定された唇色が後述するように分類分けされた唇色カテゴリーのいずれに属するかを判定する。続いて、この判定結果に基づき、後述するように予め唇色カテゴリーとこれに似合う色の口紅との対応付けを行った口紅選定チャートを用い、これより使用者に最も似合う口紅を選定する。このように本実施例では、使用者の口紅を選定するに際し、使用者の唇色に基づき口紅を選定することを特徴としている。
【００２７】
ここで、本実施例に係る口紅の選定方法の具体的処理の説明の前に、本発明者が唇色に注目した理由について説明する。
【００２８】
前述したように、従来において口紅を選定する場合、顔の肌色やヘアカラーを指標としてその人に似合う口紅の色を選択することが行われていた。この方法が適正である場合、同一或いは似た肌色を有する複数の人に対し同色の口紅を使用したときは、同じ仕上がりになる筈である。しかしながら、実際には同一或いは似た肌色を有する複数の人に対して同色の口紅を使用しても、同一の仕上がりとはならず仕上がりの色が異なる現象が発生した。
【００２９】
本発明者は、この現象が発生する理由を精査したところ、使用者の唇色に原因があるのではとの結論に達した。即ち、口紅は唇に塗布されるものであり、塗布した状態では薄い膜を形成する。よって、塗布された状態の口紅は、一定の透光性を有し、換言すると一定の透明度を有し、使用者の唇色が透けて見える状態となる。即ち、口紅の塗布後に見える口紅の色は、口紅単体の色ではなく、使用者の唇色と口紅の色とが互いに影響し合って生成される色であるといえる。
【００３０】
このように考えた場合、上記した従来の問題点が生じることも説明される。また、口紅色を考慮して口紅の選定を行うことにより、口紅の塗布後の色（口紅の色と唇色が融合した色。以下、融合色という）をより使用者に似合ったものとすることが可能となる。以下、上述した原理に基づき実施される、本実施例に係る口紅の選定方法の具体的処理について説明する。
【００３１】
本実施例に係る口紅の選定処理では、図１のステップ１０（図では、ステップをＳと略称している）において、使用者の唇色を測定する。図２は、使用者の唇色を測定している様子を示している。同図に示すように、使用者の唇色は、唇色スケール１Ａを用いて行う。
【００３２】
図３は、第１実施例である唇色スケール１Ａを拡大して示している。この唇色スケール１Ａは、本実施例では唇色の唇色カテゴリーに対応して４枚の唇色スケール１ａ〜１ｄにより構成されている。また、各唇色スケール１ａ〜１ｄは、透明なフィルム或いはシート状の本体部４に唇色カテゴリー表示部２と唇色見本部３とを形成した構成とされている。この唇色見本部３は、複数の唇色が表示されており、また唇色見本部３は後述するように、唇色を明度，彩度，色相に基づき分類した唇色カテゴリーが表示されている。唇色の評価精度を高めるためには、唇色見本部３は唇色がやや透けて見えるよう半透明様の材料であることが望ましい。
【００３３】
ここで、唇色カテゴリーについて説明する。前記したように、使用者の口紅を塗布した後の融合色を使用者に似合った色とするには、唇色を適正に測定することが望ましい。また、唇色に一定の特性があるようならば、この特性に応じて分類化することが更に望ましい。そこで本発明者は、１８歳〜５９歳の１８０人の被評価者に対して唇色の視感評価を行う実験を行った。
【００３４】
図４乃至図９は、この視感評価の後マンセル色票によって唇色を判定した評価結果をマンセルマップによる分布として示したものである。尚、図４乃至図８において（Ａ）で示す図は横軸に色相を取ると共に縦軸に明度を取り、（Ｂ）で示す図及び図９では横軸に彩度を取り縦軸に明度を取っている。明度は数字が大きくなるほど明るくなり、彩度は数字が大きくなるほど鮮やかとなる。また、色相においてＲで示すのは「赤」であり、Ｐで示すのは「紫」である。よって、図中右側に行くほど、赤が濃くなることを示す。更に、各図には複数の多重円が示されているが、その多重の円の数が多いほど、またその径が大きいほど、当該特性を有した者が多かったことを示している。
【００３５】
図４は、評価を行った１８０人全員の評価結果を示すものである。同図より、図４（Ａ）に示される色相−明度との相関については明度及び色相共に略中間的な特性（図の中心近傍に対応する特性）を有する人が多いことが分かり、また図４（Ｂ）に示す彩度−明度との相関については彩度が低い人が多いことが分かる。しかしながら、図４に示す評価結果から唇色の分類を行うことは困難である。
【００３６】
このため本発明者は、唇色を示す分類として「淡い（白っぽい）」、「普通（白すぎず、赤すぎず）」、「赤い」、「濃い」の４つのカテゴリー（このカテゴリーを唇色カテゴリーという）を設定し、１８０人の被評価者をこの４つの唇色カテゴリーに分類した。そして、唇色カテゴリー毎にマンセルマップによる分布を求めた。各図では、全体の分布を線で囲って示す。
【００３７】
図５は、唇色が淡いと判定された人の特性を示している。図５（Ａ）より唇色が淡いと判定された人は全体の分布に対して明度が高い特性を示すことが分かる。また、図５（Ｂ）より、唇色が淡いと判定された人は彩度が平均値に対して低い特性を示すことが分かる。尚、図５（Ｂ）において、「２．５Ｒ６／４」，「５Ｒ６／６」等のように記載されている内容は、例えば「２．５Ｒ６／４」を例に挙げると、「２．５Ｒ」が色相を示し、「６」が明度を示し、「４」が彩度を示している。同様に、「５Ｒ６／６」を例に挙げると、「５Ｒ」が色相を示し、「６」が明度を示し、「６」が彩度を示している。
【００３８】
図６は、唇色が普通と判定された人の特性を示している。図６（Ａ），（Ｂ）より唇色が普通と判定された人は明度及び彩度共に全体の分布の中央に位置し中間的である特性を示すことが分かる。また図７は、唇色が赤いと判定された人の特性を示している。図７（Ａ）より唇色が赤いと判定された人は色相が平均値に対して赤色よりの特性を示すことが分かる。また、図７（Ｂ）より、唇色が赤いと判定された人は明度が全体の分布に対して鮮やかな赤色特性を示すことが分かる。更に、また図８は、唇色が濃いと判定された人の特性を示している。図８（Ａ）より唇色が濃いと判定された人は明度が全体の分布に対して低い特性を示すことが分かる。また、図８（Ｂ）より、唇色が濃いと判定された人は彩度が全体の分布に対して低い特性を示すことが分かる。
【００３９】
図９は、図４（Ｂ）に示した１８０人全体の特性を示す図に、「淡い」、「普通」、「赤い」、「濃い」の４つ唇色カテゴリーの特性領域をマッピングしたものである。同図より、「淡い」、「普通」、「赤い」、「濃い」の４つ唇色カテゴリー毎に分類分けされており（即ち、重なる部分が少ない）、よって使用者の唇色を分類する場合、この４つの唇色カテゴリーを用いて分類することが可能であることが立証された。また、唇色を評価する際の重視点についても調べたところ、下唇が重視されることが分かり、評価の際の着目的についても明らかになった。
【００４０】
上記の実験結果より、本実施では使用者の唇色を測定する際、使用者の唇色が「淡い」、「普通」、「赤い」、「濃い」の４つ唇色カテゴリーのいずれに属するかを測定することとしている。ここで、再び図２及び図３に戻り、説明を続ける。
【００４１】
図３に示される唇色スケール１Ａは、４つ唇色カテゴリーに対応した淡い用唇色スケール１ａ、普通用唇色スケール１ｂ、赤い用唇色スケール１ｃ、濃い用唇色スケール１ｄとにより構成されている。また、この唇色の測定に用いる唇色スケールは、図３に示すものに限定されるものではなく、例えば図２１に示す唇色スケール１Ｂを用いることもできる。
【００４２】
この唇色スケール１Ｂも、透明なフィルム或いはシート状の本体部４に唇色カテゴリー表示部２と唇色見本部３とを形成した構成とされているが、１枚の本体部４に二種類の唇色カテゴリーを同時に設けた構成としている。即ち、唇色スケール１Ｂは、淡い用唇色スケール１ａと標準的（上記した「普通」を標準的と表現することもある）用唇色スケール１ｂとを１枚の本体部４に形成すると共に、赤い用唇色スケール１ｃ濃い用唇色スケール１ｄとを１枚の本体部４に形成に形成した構成としている。この構成とすることにより、合計２枚のスケールとなるため、図３に示した図３に示される唇色スケール１Ａに比べコンパクト化を図ることができる。
【００４３】
また、淡い用唇色スケール１ａと標準的用唇色スケール１ｂ、及び赤い用唇色スケール１ｃ濃い用唇色スケール１ｄは対象な配置とされている。これにより、１枚の本体部４に形成に二つの唇色スケールを設けた構成としても、使用性が低下してしまうようなことはない。更に、各唇色スケール１ａ〜１ｄの外延部分には湾曲部４Ａが形成されている。この湾曲部４Ａの形状は、唇の形状に対応して設定されている。よって、唇色の測定のために唇色スケール１Ｂを唇に当てた際、唇色スケール１Ｂの湾曲部４Ａが唇のラインに沿った状態となり、測定の容易化及び使用性の向上を図ることができる。
【００４４】
上記構成された唇色スケール１Ｂにおいて、淡い用唇色スケール１ａの唇色見本部３には「淡い」に対応する「２．５Ｒ６／６」、「２．５Ｒ６／４」、「７．５Ｒ６／６」、「４Ｒ５／４」の各色が施されている。この際、唇色見本部３には、図５から得られる全ての特徴となる唇色を表示する必要はなく、特に特徴となる唇色を選定して施す構成としてもよい。具体的には、図５（Ｂ）には「淡い」の特徴的な唇色として「２．５Ｒ６／４、２．５Ｒ６／６、５Ｒ５／８、５Ｒ６／４、５Ｒ６／６、７．５Ｒ６／６」の６色が選定されているが、本実施例ではこの中から上記の「２．５Ｒ６／６、２．５Ｒ６／４、７．５Ｒ６／６、４Ｒ５／４」の４色を選定している。
【００４５】
同様に、普通用唇色スケール１ｂの唇色見本部３には、「普通」に対応する「１０ＲＰ５／６」、「７．５Ｒ４／６」、「２．５Ｒ５／８」、「２．５Ｒ５／４」の各色が施されている。また、赤い用唇色スケール１ｃの唇色見本部３には、「赤い」に対応する「２．５Ｒ５／１０」、「２．５Ｒ４／８」、「５Ｒ３／８」の各色が施されている。更に、濃い用唇色スケール１ｄ唇色見本部３には、「濃い」に対応する「５Ｒ３／６」、「２．５Ｒ３／６」、「２．５Ｒ４／４」の各色が施されている。この「普通」、「赤い」、「濃い」の夫々についても、図６乃至図８から得られる全ての色を表示する必要はなく、特に特徴となる色を選定して施す構成としてもよい。
【００４６】
従って、図１に示すステップ１０の唇色カテゴリー判定処理では、各唇色スケール１ａ〜１ｄの唇色見本部３を図２に示すように使用者の唇に当てて色を比べ、同一或いは最も類似する色が選定された時点で、当該唇色見本部３の唇色カテゴリー表示部２を見る。唇色カテゴリー表示部２には、当該唇色見本部３に対応する唇色カテゴリーが表示されており、よって簡単に使用者の唇色の唇色カテゴリーを判定することができる。
【００４７】
上記した図１にステップ１０で示す唇色カテゴリー判定処理が終了すると、続いてステップ１１において、使用者の顔の肌色を測定する。
【００４８】
この使用者の測定は、例えば特開２００２−２６２９３８号公報に開示されているように肌色見本を利用して行うことも可能であるが、使用者に対して美容カウンセリングを行う美容部員は肌色の測定は経験的に行うことができる。このため、本実施例では視感により肌色測定を行うこととした。
【００４９】
また、測定される肌色の分類方法も種々提案されているが、本実施例では肌色を「赤みよりの明るい肌色」、「黄みよりの明るい肌色」、「黄みで標準的な明るさの肌色」、「健康的な濃い肌色」に分類し、それぞれを肌色カテゴリーとした。よって本実施例では、ステップ１１の処理により、使用者の肌色はこの４つの肌色カテゴリーのいずれかに分類される。尚、肌色の分類はこれに限定されるものではなく、更に細分化することも可能である。
【００５０】
上記した図１にステップ１１で示す肌色カテゴリー判定処理が終了すると、続いてステップ１３において、ステップ１０及びステップ１１で求められた唇色カテゴリー及び肌色カテゴリーに基づき、口紅選定チャート５を用いて使用者に似合った口紅の選定処理を行う。
【００５１】
ここで、口紅選定チャート５について説明する。図１２及び図１３は、口紅選定チャート５の一例を示している。
【００５２】
本実施例では図１２に示されるように、口紅選定チャート５は、赤みよりの明るい肌色用口紅選定チャート５ａ（以下、赤／明用口紅選定チャート５ａという）、黄みよりの明るい肌色用口紅選定チャート５ｂ（以下、黄／明用口紅選定チャート５ｂという）、黄みで標準的な明るさの肌色用口紅選定チャート５ｃ（以下、黄／標用口紅選定チャート５ｃという）、及び健康的な濃い肌色用口紅選定チャート５ｄ（以下、健／濃用口紅選定チャート５ｄという）の４枚のチャートにより構成されている。
【００５３】
図１３は、この４枚の口紅選定チャート５ａ〜５ｄの内、一例として黄／標用口紅選定チャート５ｃを示している。同図に示すように、黄／標用口紅選定チャート５ｃは、大略すると唇色カテゴリー表示エリア６と、口紅表示エリア７とにより構成されている。
【００５４】
唇色カテゴリー表示エリア６は黄／標用口紅選定チャート５ｃの縦軸に該当するものであり、前記した「淡い」，「普通」，「赤い」，「濃い」の唇色カテゴリーが記載されている。また、口紅表示エリア７は黄／標用口紅選定チャート５ｃの横軸に該当するものであり、「輪郭なし」と「輪郭あり」とに分類されている。
【００５５】
更に、本実施例では「輪郭なし」と「輪郭あり」とを更に「トーン１」と「トーン２」に細分類している。この「輪郭なし」は唇内部と唇の輪郭との色差がほとんどないか、小さいことを示す。「輪郭あり」は唇内部の色よりも唇の輪郭の色が濃くはっきりとしていることを示す。「輪郭あり」の唇は、唇の輪郭と内側の色差を感じさせないように、「輪郭なし」の唇にあう口紅よりもやや濃い色や、カバー力のあるタイプの口紅にするのが望ましい。このため、本実施例では口紅表示エリア７を「輪郭なし」と「輪郭あり」とで更に細分化している。また、トーン１，２は口紅の色調（色彩の強弱や濃淡）や隠蔽力を２段階に分類したものである。
【００５６】
上記のように分類が行われることにより、口紅表示エリア７は唇色カテゴリー（淡い，普通，赤い，濃い）毎にそれぞれ４領域（輪郭なし＋トーン１，輪郭なし＋トーン２，輪郭あり＋トーン１，輪郭あり＋トーン２）、合計で１６の領域が形成される。そして、この形成された１６の各領域には、唇色カテゴリーと、輪郭あり／なし、トーン１，２の組合せに適した口紅の商品名が記載されている。
【００５７】
従って、ステップ１３において使用者に似合った色の口紅を選定する場合、先ずステップ１１で判定された肌色カテゴリーにより、４枚の紅選定チャート５ａ〜５ｄの内から判定された肌色カテゴリーに対応した口紅選定チャートを選ぶ。今、仮にステップ１１において、使用者の肌色が「黄みで標準的な明るさの肌色」のカテゴリーであったとすると、４枚の紅選定チャート５ａ〜５ｄの内から黄／標用口紅選定チャート５ｃを選定する（図１３に示す）。
【００５８】
続いて、黄／標用口紅選定チャート５ｃ内の唇色カテゴリー表示エリア６より、ステップ１０で判定された唇色カテゴリーに対応した領域を見る。今、仮にステップ１０において判定された使用者の唇色が「普通」のカテゴリーであったとし、更に使用者の唇が輪郭がなく、また色調がトーン２（色彩が弱く淡い）であったとする。
【００５９】
この条件に適合する口紅は、黄／標用口紅選定チャート５ｃより、「スーペリアＲＤ３７５（商品名）」であることが分かる。即ち、上記した唇色カテゴリー及び肌色カテゴリー（補助的に、輪郭やトーン）を有する使用者は、「スーペリアＲＤ３７５」を用いることにより、使用者に似合った融合色（口紅の塗布後の色。口紅の色と唇色が融合した色）を実現することができる。
【００６０】
ところで、上記のように使用者の唇に似合った融合色を実現するには、口紅選定チャート５ａ〜５ｄの唇色カテゴリー及び肌色カテゴリー（補助的に、輪郭やトーン）の組合せにより特定された領域に記載されているに表示されている口紅が、使用した際に使用者に似合った融合色を実現できるものである必要がある。以下、この条件を満たす口紅選定チャート５（５ａ〜５ｄ）の作成方法について説明する。
【００６１】
前記したように、本実施例ではステップ１３において口紅を選定する際、基本的には唇色カテゴリーと肌色カテゴリーとの組合せにより選定される。本実施例の場合には唇色カテゴリーは「淡い」，「普通」，「赤い」，「濃い」の４分類であり、また肌色カテゴリーは
「赤みよりの明るい肌色」、「黄みよりの明るい肌色」、「黄みで標準的な明るさの肌色」、「健康的な濃い肌色」の４分類である。このため、唇色カテゴリーと肌色カテゴリーとの組合せは、図１０に示すＡ１〜Ａ４、Ｂ１〜Ｂ４、Ｃ１〜Ｃ４、Ｄ１〜Ｄ４の１６のカテゴリーとなる。
【００６２】
本実施例では、口紅選定チャート５（５ａ〜５ｄ）を作成するに際し、この１６カテゴリーに該当する被測定者を選定し、各被測定者に異なる色（本実施例では１０色とした）の口紅を実際に使用してもらった。そして、各口紅が当該被測定者に似合うかどうかを多数者（本実施例では１００名程度）により視感により判断してもらい、その結果をアンケートとして収集して集計した（自己の評価結果も含む）。
【００６３】
図１１は、図１０のＢ２のカテゴリー（黄みで明るい肌色×普通唇）である被測定者の評価結果を示している。同図において、破線で囲ったものがアンケートの結果、当該被測定者に似合うと判定された領域である。そして、この破線領域に対応する口紅の製品名は、容易に選定することができる。この処理を１６カテゴリーの全てに対して行うことにより、またこのように選定された内容に、補助的な輪郭やトーンの影響を加味することにより、口紅選定チャート５（５ａ〜５ｄ）を作成することができる。また、１６カテゴリーの全てに対して複数の被測定者を選定し、各人に対して上記評価を行うことにより、より精度の高い口紅選定チャート５（５ａ〜５ｄ）を作成することができる。
【００６４】
このように本実施例では、被測定者が実際に使用した口紅の色に対して似合うか否かを評価した結果に基づき口紅選定チャート５（５ａ〜５ｄ）を作成しているため、ステップ１３で選定された口紅は、使用者に似合った融合色を実現することができるものとなる。
【００６５】
また、上記のように１６カテゴリーのそれぞれに対して被測定者に似合う口紅の選定処理を行ったところ、唇色カテゴリーから似合う口紅の色を選定する際、各カテゴリーに共通する似合う口紅の評価の傾向が判明した。
【００６６】
具体的には、２０代の場合には、ほとんどの人が素の唇色に近い色が似合い、本人も素の唇色に近い色を好むことが分かった。これは、図１１において破線で示された、似合うと判定された領域内に素の口紅色が存在していることからも分かる。また、少しでも色が赤い・強いと判断した場合には、似合わないとする傾向がある。これより、素の唇色から、即ち使用者の唇色カテゴリーを知ることにより、当該使用者が似合うと思う融合色をおおよそ判断することができる。
【００６７】
また、３０代から５０代の場合には、ほとんどの人が赤みの明るいから濃い色が似合う傾向がある。また、唇色が普通〜赤い人は、素の唇色に近い色と赤み明るい〜濃いも似合うことが判明した。一般に、３０代から５０代では、２０代に比べて嗜好の幅が広いことも分かった。
【００６８】
ここで、再び図１２及び図１３に戻り説明を続ける。上記のように、口紅選定チャート５（５ａ〜５ｄ）は被測定者が実際に使用した口紅の色に対して似合うか否かを評価した結果に基づき作成しているため、この口紅選定チャート５（５ａ〜５ｄ）を用いて口紅の選定を行うことにより使用者に似合った融合色を実現できる口紅を確実に選定することができる。また、使用者の唇色カテゴリーと肌色カテゴリーとが判定されれば、直ちに当該使用者に似合う口紅が口紅選定チャート５により直ちに選定されるため、容易に口紅の選定処理を行うことができる。
【００６９】
ところで、上記した実施例では口紅選定を行う基本的なパラメータとして唇色カテゴリーと肌色カテゴリーの二つのパラメータを用いた。しかしながら、簡易的な口紅選定を行う場合には、図１４に示すような口紅選定処理を行っても良い。図１４に示す口紅選定処理は、図１に示した口紅選定処理におけるステップ１１で示した肌色カテゴリーの判定処理を省略したものである。
【００７０】
この図１４に示す口紅選定処理では、先ずステップ２０において、図２及び図３を用いて説明したように唇色スケール１を用いて使用者の唇色の唇色カテゴリーを判定する。続くステップ２１では、口紅選定チャートに基づき、ステップ２０で判定された唇色カテゴリーに対応した色の口紅を選定する。ここで用いる口紅選定チャートは、図１２で示した口紅選定チャート５と異なり、唇色カテゴリーとこれに似合う色の口紅との対応付けのみがされた口紅選定チャートである。尚、ステップ２１で用いる口紅選定チャートの作成方法は、基本的には前記した口紅選定チャート５の作成方法と同様であり、肌色カテゴリーを唇色カテゴリーと対応させていない点で異なるのみである。
【００７１】
図１４に示した実施例のように、肌色カテゴリーを口紅選定のパラメータから除き、唇色カテゴリーのみにより口紅選定を行う方法としても、従来に比べてより使用者に似合った色の口紅の選定を行うことができる。
【００７２】
尚、上記した実施例では、口紅選定チャート５を肌色カテゴリーに対応させて４枚の赤／明用口紅選定チャート５ａ，黄／明用口紅選定チャート５ｂ，黄／標用口紅選定チャート５ｃ，健／濃用口紅選定チャート５ｄに分割した構成としたが、これを纏めて１枚の口紅選定チャートとすることも可能である。
【００７３】
続いて、図１５乃至図２０を用いて、上記した口紅の選定方法を利用した美容方法について説明する。以下の説明は、美容部員が使用者（以下の説明では、お客様という）に対して美容カウンセリングを行う形態を例に挙げて説明するものとする。
【００７４】
図１５は、本美容方法に用いる各種ツールを示している。同図に示すように本美容方法では、チェックシート１０、唇色発見スケール２０、アドバイスシート３０（外面を３０Ａ、内面を３０Ｂで示す）、挿入カード４０（外面を４０Ａ、内面を４０Ｂで示す）、唇色紹介シート５０（外面を５０Ａ、内面を５０Ｂで示す）、ブランド紹介シート６０、ブランド別口紅情報７０等を用いる。
【００７５】
本美容方法では、先ず図１６に示すように、チェックシート１０にお客様（美容方法を施術しようとする人）自身にチェックシート１０を記入してもらう（ステップ１）。そして、記入が済んだら、記入された項目をお客様と確認しながら意識の共有化を図る。続いて、お客様の現在使用しているリップメークを落とす処理を行う（ステップ２）。
【００７６】
続いて、図１７に示すように、お客様の唇色（唇色カテゴリー）及び素肌色（肌色カテゴリー）の分析を行う（ステップ３）。具体的には、先ず唇色発見スケール２０を用いてお客様の唇色を確認し、続いて素肌色マップ８０を用いてお客様の顔の肌色を確認する。そして、唇色紹介シート５０Ｂを用いて唇色を確認する。
【００７７】
続いて、図１８に示すように、唇色にあう口紅（色やブランド）の選定を行う。具体的には、先ずブランド紹介シート６０を用いてブランドの選定を行う。続いて、ブランド別口紅情報７０を用いて、お客様に２色（１〜３色）の選定をしてもらう。尚、お客様が口紅を２〜３色選定した場合には、唇の半分につけて実習（レッスン）する色を決定する。
【００７８】
続いて、図１９に示すように、美容部員によりお客様に対し、口紅の唇への描き方のアドバイスを行う。具体的には、チェックシート１０に記載されているお客様の悩み部分をチェックしながら、アドバイスシート３０Ｂに沿って口もとを魅力的に描くテクニックを紹介する。この際、唇スケール９０を活用して美容部品（スタッフ）が唇の半分のみ仕上げ、残り半分はお客様に仕上げてもらう。
【００７９】
上記のように口紅の描き方のアドバイスが終了すると、図２０に示すように、使用した化粧品をアドバイスシート３０Ｂに記入して美容方法を終了する。そして、お客様に対してアンケート用紙１００の記入をしてもらう。上記した美容方法では、お客様の唇色（唇色カテゴリー）に適合した口紅の選定を行うことができ、お客様に似合った口紅の選定を行うことができる。
【図面の簡単な説明】
【００８０】
【図１】図１は、本発明の一実施例である口紅の選定方法を示すフローチャートである。
【図２】図２は、唇色カテゴリー判定処理を説明するための図である。
【図３】図３は、唇色カテゴリー判定処理で用いる唇色スケールを説明するための図である。
【図４】図４は、唇色の評価結果を示す図である（全員）。
【図５】図５は、唇色の評価結果を示す図である（唇色が淡いと判定された人）。
【図６】図６は、唇色の評価結果を示す図である（唇色が普通と判定された人）。
【図７】図７は、唇色の評価結果を示す図である（唇色が赤いと判定された人）。
【図８】図８は、唇色の評価結果を示す図である（唇色が濃いと判定された人）。
【図９】図９は、唇色カテゴリーを示す図である。
【図１０】図１０は、唇色カテゴリーと肌色カテゴリーの組合せを示すチャートである。
【図１１】図１１は、唇色カテゴリー（普通）と肌色カテゴリー（黄みで明るい肌）である人に異なる色の口紅を使用したときの「似合う／似合わない」のアンケート結果及び視感判定の結果を示す図である。
【図１２】図１２は、口紅選定処理で使用する口紅選定チャートを示す図である。
【図１３】図１３は、口紅選定処理で用いる口紅選定チャートを拡大して示す図である。
【図１４】図１４は、本発明の他の実施例である口紅の選定方法を示すフローチャートである。
【図１５】図１５は、上記した口紅の選定方法を利用した美容方法に用いる各種ツールを示す図である。
【図１６】図１６は、上記した口紅の選定方法を利用した美容方法を説明するための図である（その１)。
【図１７】図１７は、上記した口紅の選定方法を利用した美容方法を説明するための図である（その２)。
【図１８】図１８は、上記した口紅の選定方法を利用した美容方法を説明するための図である（その３)。
【図１９】図１９は、上記した口紅の選定方法を利用した美容方法を説明するための図である（その４)。
【図２０】図２０は、上記した口紅の選定方法を利用した美容方法を説明するための図である（その５)。
【図２１】図２１は、唇色スケールの他の実施例を示す図である。
【符号の説明】
【００８１】
１  唇色スケール
１ａ  淡い用唇色スケール
１ｂ  普通用唇色スケール
１ｃ  赤い用唇色スケール
１ｄ  濃い用唇色スケール
２  唇色カテゴリー表示部
３  唇色見本部
５  口紅選定チャート
５ａ  赤／明用口紅選定チャート
５ｂ  黄／明用口紅選定チャート
５ｃ  黄／標用口紅選定チャート
５ｄ  健／濃用口紅選定チャート
６  唇色カテゴリー表示エリア
７  口紅表示エリア
１０  チェックシート
２０  唇色発見スケール
３０Ａ，３０Ｂ  アドバイスシート
４０Ａ，４０Ｂ  挿入カード
５０Ａ，５０Ｂ  唇色紹介シート
６０  ブランド紹介シート
７０  ブランド別口紅情報
８０  素肌色マップ
９０  唇スケール
１００  アンケート用紙
【図１】
2008062042.tif 000003
【図２】
2008062042.tif 000004
【図４】
2008062042.tif 000005
【図１４】
2008062042.tif 000006
【図１５】
2008062042.tif 000007
【図１６】
2008062042.tif 000008
【図１７】
2008062042.tif 000009
【図１８】
2008062042.tif 000010
【図１９】
2008062042.tif 000011
【図２０】
2008062042.tif 000012
【図３】
2008062042.tif 000013
【図５】
2008062042.tif 000014
【図６】
2008062042.tif 000015
【図７】
2008062042.tif 000016
【図８】
2008062042.tif 000017
【図９】
2008062042.tif 000018
【図１０】
2008062042.tif 000019
【図１１】
2008062042.tif 000020
【図１２】
2008062042.tif 000021
【図１３】
2008062042.tif 000022
【図２１】
2008062042.tif 000023